(57)【要約】【課題】本発明は、発光ダイオードによって照明するＬＥＤ照明装置であって、発光ダイオードが収容される凹部を有するハウジングと、ハウジングに一体的に装着されて発光ダイオードの光照射側をカバーするレンズ部とを備え、レンズ部による導光状態の変更も容易なＬＥＤ照明装置を提供することを課題とする。【解決手段】発光ダイオードからの光の照射方向を開放側に向けた姿勢で該発光ダイオードが収容される凹部を有するハウジングと、該ハウジングの外周面が嵌合して挿入される装着部と、該装着部がハウジングの外周面に装着された状態において発光ダイオードの光照射側をカバーするレンジ部とが一体的に成形されたカバー体を備え、カバー体の内周面に、前記ハウジングの外周面が、光軸方向にスライド可能に嵌合挿入される。【選択図】図３
2020129521.tif 000002
【特許請求の範囲】
【請求項１】
発光ダイオードによって照明するＬＥＤ照明装置であって、
一又は複数の発光ダイオードと、
前記発光ダイオードからの光の照射方向を開放側に向けた姿勢で、該発光ダイオードの少なくとも一部が収容される凹部を有するハウジングと、
前記ハウジングの外周面が嵌合して挿入される筒状に形成された装着部と、該装着部がハウジングの外周面に装着された状態において前記発光ダイオードの光照射側がカバーされ且つ該発光ダイオードからの照射された光を拡散させなら透光させるレンズ部とが一体的に成形されたカバー体とを備え、
前記カバー体の内周面に、前記ハウジングの外周面が、前記発光ダイオードからの光の照射方向に沿う方向にスライド可能に嵌合挿入できるように、前記カバー体の内周面及び前記ハウジングの外周面が形成された
ＬＥＤ照明装置。
【請求項２】
筒状部を有する放熱体を備え、
前記ハウジングにおける前記凹部が形成された側と反対側には、前記発光ダイオードの照射方向と反対側に突出形成された接続部が一体的に成形され、
前記接続部の外周面には、前記放熱体の前記筒状部の内周面に形成された雌ネジとネジ係合する雄ネジが形成された
請求項１に記載のＬＥＤ照明装置。
【請求項３】
前記接続部は、一端が前記凹部と連通し且つ他端が前記放熱体の前記筒状部の内部と連通するように開放された筒状に形成され、
前記接続部の内周面側のスペースを利用して、前記放熱体の前記筒状部の内部から前記発光ダイオードへの電力供給ための配線がなされてなる
請求項２に記載のＬＥＤ照明装置。
【請求項４】
前記放熱体の前記筒状部の外周面側には放熱フィンが形成され、
前記放熱フィンの表面は、酸化腐食によって多数の凹凸が形成された
請求項２又は３の何れかに記載のＬＥＤ照明装置。
【請求項５】
前記接続部は、設置板に穿設された設置孔に挿入され、
前記接続部と前記放熱体とのネジ係合による締付によって、該放熱体と前記ハウジングとの間に、前記設置板が挟持される
請求項２乃至４の何れかに記載のＬＥＤ照明装置。
【請求項６】
前記ハウジングと前記設置板の間、或いは前記放熱体と前記設置板との間には、絶縁体が設けられた
請求項５に記載のＬＥＤ照明装置。
【請求項７】
前記レンズ部における前記発光ダイオードとの対向面は、該発光ダイオードから照射された光を拡散するように、該発光ダイオード側に突出する複数の凸部が形成された
請求項１乃至６の何れかに記載のＬＥＤ照明装置。
【請求項８】
前記レンズ部における前記発光ユニットとの対向面は、ハチの巣状に区切られ、該区切られた区画には前記凸部が配置形成されている
請求項７に記載のＬＥＤ照明装置。
【発明の詳細な説明】
【技術分野】
【０００１】
本発明は、発光ダイオードによって照明するＬＥＤ照明装置に関する。
【背景技術】
【０００２】
一又は複数の発光ダイオードと、前記発光ダイオードからの光の照射方向を開放側に向けた姿勢で該発光ダイオードの少なくとも一部が収容される凹部を有するハウジングと、ハウジングに一体的に装着された状態において前記発光ダイオードの光照射側がカバーされ且つ該発光ダイオードからの照射された光を導光するレンズ部を有するカバー体とを備えたＬＥＤ照明装置が公知になっている（例えば、特許文献１を参照。）。
【０００３】
このようなＬＥＤ照明装置によれば、レンズ部を有するカバー体がハウジングに一体的に装着されてユニット化され、扱いが容易になる一方で、設置場所等によって導光状態を変更したくても、それが困難という問題がある。
【先行技術文献】
【特許文献】
【０００４】
【特許文献１】特許第４６０２４７７号公報
【発明の概要】
【発明が解決しようとする課題】
【０００５】
本発明は、発光ダイオードによって照明するＬＥＤ照明装置であって、発光ダイオードが収容される凹部を有するハウジングと、ハウジングに一体的に装着されて発光ダイオードの光照射側をカバーするレンズ部とを備え、レンズ部による導光状態の変更も容易なＬＥＤ照明装置を提供することを課題とする。
【課題を解決するための手段】
【０００６】
上記課題を解決するため、発光ダイオードによって照明するＬＥＤ照明装置であって、一又は複数の発光ダイオードと、前記発光ダイオードからの光の照射方向を開放側に向けた姿勢で、該発光ダイオードの少なくとも一部が収容される凹部を有するハウジングと、前記ハウジングの外周面が嵌合して挿入される筒状に形成された装着部と、該装着部がハウジングの外周面に装着された状態において前記発光ダイオードの光照射側がカバーされ且つ該発光ダイオードからの照射された光を拡散させなら透光させるレンズ部とが一体的に成形されたカバー体とを備え、前記カバー体の内周面に、前記ハウジングの外周面が、前記発光ダイオードからの光の照射方向に沿う方向にスライド可能に嵌合挿入できるように、前記カバー体の内周面及び前記ハウジングの外周面が形成されたことを特徴とする。
【０００７】
筒状部を有する放熱体を備え、前記ハウジングにおける前記凹部が形成された側と反対側には、前記発光ダイオードの照射方向と反対側に突出形成された接続部が一体的に成形され、前記接続部の外周面には、前記放熱体の前記筒状部の内周面に形成された雌ネジとネジ係合する雄ネジが形成されたものとしてもよい。
【０００８】
前記接続部は、一端が前記凹部と連通し且つ他端が前記放熱体の前記筒状部の内部と連通するように開放された筒状に形成され、前記接続部の内周面側のスペースを利用して、前記放熱体の前記筒状部の内部から前記発光ダイオードへの電力供給ための配線がなされてなるものとしてもよい。
【０００９】
前記放熱体の前記筒状部の外周面側には放熱フィンが形成され、前記放熱フィンの表面は、酸化腐食によって多数の凹凸が形成されたものとしてもよい。
【００１０】
前記接続部は、設置板に穿設された設置孔に挿入され、前記接続部と前記放熱体とのネジ係合による締付によって、該放熱体と前記ハウジングとの間に、前記設置板が挟持されるものとしてもよい。
【００１１】
前記ハウジングと前記設置板の間、或いは前記放熱体と前記設置板との間には、絶縁体が設けられたものとしてもよい。
【００１２】
前記レンズ部における前記発光ダイオードとの対向面は、該発光ダイオードから照射された光を拡散するように、該発光ダイオード側に突出する複数の凸部が形成されたものとしてもよい。
【００１３】
前記レンズ部における前記発光ユニットとの対向面は、ハチの巣状に区切られ、該区切られた区画には前記凸部が配置形成されているものとしてもよい。
【発明の効果】
【００１４】
本発明の構成によれば、カバー体のスライドによって、該カバー体のレンズ部による導光状態を容易に変更できる。
【図面の簡単な説明】
【００１５】
【図１】ＬＥＤ照明装置の側面図である。
【図２】図１のＡ矢視図である。
【図３】ＬＥＤ照明装置の分解側断面図である。
【図４】（Ａ）は図２に示すハウジングから発光基板を取外した状態の底面図であり、（Ｂ）は（Ａ）のＢ−Ｂ断面図である。
【図５】カバー体の内面側の構成を示す平面図である。
【図６】電力供給回路の電気回路図である。
【図７】ＬＥＤ回路の電気回路図である。
【図８】電力供給回路を収容する収容ボックスの構成を示す側面図である。
【発明を実施するための形態】
【００１６】
図１はＬＥＤ照明装置の側面図であり、図２は図１のＡ矢視図であり、図３はＬＥＤ照明装置の分解側断面図である。ＬＥＤ照明装置１は、設置板Ｐに穿設された設置孔Ｐ１を利用して該設置板Ｐに設置固定される。この設置板Ｐが、例えば、天井の少なくとも一部を構成するように水平な姿勢で設置されるか、或いは壁の少なくとも一部を構成するように鉛直に起立した姿勢で設置される。そして、ＬＥＤ照明装置１の光の照射方向（以下、単に「照射方向」と称する）は、設置板Ｐが天井として機能する場合には真下側に向けられ、壁として機能する場合には水平方向の室内側に向けられる。
【００１７】
このＬＥＤ照明装置１は、一又は複数（本例では複数、さらに具体的には９個）の発光ダイオード２が含まれた電気回路であるＬＥＤ回路３（図７参照）が組み込まれた基板である発光基板（発光ユニット）４と、該発光基板４を収容するハウジング６と、ハウジング６側の熱を放熱する放熱体７と、発光基板４の少なくとも一部をカバーするカバー体８とを備えている。
【００１８】
ちなみに、このＬＥＤ照明装置１に電力を供給する後述の電力供給装置は、複数（本例では４個）のＬＥＤ照明装置１（ＬＥＤ回路３）毎に１つ用意される。
【００１９】
上記発光基板４は多角形状（図示する例では、八角形状）に成形されている。発光基板４の片面が発光ダイオード２を配置する発光面４ａになる。すなわち、発光基板４の発光面４ａから垂直に離間する方向が、前記照射方向に設定される。ここで、図３の符号Ｘは、発光基板４の中心を貫き且つ前記照射方向に平行な軸である。
【００２０】
この発光基板４の両面側には、ＬＥＤ回路３が実装されている。また、この発光基板４には、複数の固定孔４ｂが穿設されている。この固定孔４ｂは、図示する例では２つ設けられ、最長の対角線で結ばれる一対の角部にそれぞれ穿設されている。
【００２１】
図４（Ａ）は図２に示すハウジングから発光基板を取外した状態の底面図であり、（Ｂ）は（Ａ）のＢ−Ｂ断面図である。上記ハウジング６は、図１乃至４に示す通り、軸Ｘに対して垂直な円盤状に成形され且つその中心が軸Ｘ上に位置する本体９と、軸Ｘを軸心とする円形の筒状に成形され且つ本体９から前記照射方向と反対の方向に突出する接続部１１とを有し、金属材料（具体的にはアルミ材）によって一体成形されている。
【００２２】
本体９の前記照射方向側の端面は２段階で凹んだ形状に成形されている。具体的には、この本体９の前記照射方向側の端面の一部（具体的には大部分）には、前記照射方向と反対の方向に窪んだ第１凹部１２が形成され、この第１凹部１２の底面１２ａの一部（具体的には大部分）には、さらに深く窪んだ第２凹部１３が形成されている。この２つの凹部１２，１３は、上記構成から、その底面１２ａ，１３ａが軸Ｘに対して垂直な方向に形成されている。
【００２３】
第１凹部１２は、軸Ｘの軸方向視で本体９の外周面に沿う円形に成形されている。第２凹部１３は、発光基板４を嵌め込み固定可能なように、軸Ｘ方向視で該発光基板４と同一又は略同一形状の多角形状に成形されている。この第２凹部１３の深さは、発光基板４の厚みと同一又は略同一に設定されている。この第２凹部１３の底面１３ａにおける発光基板４の嵌め込み固定時に前記固定孔４ｂが位置する箇所には、ネジ孔９ａが穿設される。
【００２４】
また、本体９の前記照射方向側の端面には、一対の配線溝１４，１４が凹設されている。一対の配線溝１４，１４は、その各底部が第２凹部１３の底面１３ａよりもさらに深い位置に設定され、本体９の中心を挟んだ対称位置にそれぞれ配置されている。各配線溝１４の外側端部が第１凹部１２の内周面１２ｂまで達し、内側端部がハウジング６の中心側付近まで達している。
【００２５】
該構成の本体９に発光基板４を収納して固定する手段について説明すると、一対の固定孔４ｂが軸Ｘの軸方向視で対応するネジ孔９ａと一致するとともに第２凹部１３の開放側である前記照射方向に発光ダイオード２の光の照射方向を向けた状態で、発光基板４を、該第２凹部１３に嵌め込み、各々で一致した固定孔４ｂ及びネジ孔９ａに固定ボルト１６のネジ部分を挿入してネジ係合させて固定する。
【００２６】
発光基板４を第２凹部１３に嵌め込み固定した場合、該発光基板４の発光面４ａと第１凹部１２の底面１２ａとが面一又は略面一の状態になるとともに、そこに実装された発光ダイオード２が、発光面４ａから照射方向に若干突出した状態になる。すなわち、発光ダイオード２は、第１凹部１２の底面１２ａ側に位置し、その周囲が内周面１２ｂによって囲繞されて保護された状態になる。
【００２７】
ちなみに、発光基板４の位置決めを、さらに確実にすべく、第１凹部１２の底面１２ａからは一対の位置決め部１７，１７が前記照射方向に向かって一体的に突設されている。一対の位置決め部１７，１７は、軸Ｘの軸方向視で、本体９の中心を挟んだ対称位置に対称形状で成形されている。各位置決め部１７は、第２凹部１３に嵌め込み固定されて第１凹部１２の底面１２ａから前記照射方向に若干飛び出している発光基板４の周縁部に近接又は当接するように、軸Ｘの軸方向視で、該第２凹部１３の周縁側に沿うくの字状に成形されている。
【００２８】
また、配線溝１４は、第１凹部１２の内周面１２ｂに至る範囲まで形成されているため、発光基板４の殆ど全てが、第２凹部１３内に収容されて嵌め込み固定されている状態において、軸Ｘの軸方向で、該配線溝１４の外側の端部は露出した状態になり、この露出部分を介して、発光基板４の発光面４ａ側から、配線溝１４のその他の部分（例えば、発光基板４の発光面４ａの反対側の面側）への配線も可能になる。
【００２９】
接続部１１は、軸Ｘを軸心とし且つ本体９の外周面よりも小径な外周面を有する円筒状に成形され、該外周面には雄ネジ１１ａが形成されている。また、接続部１１の内周面側に形成されたスペースＳ１は、本体９の中心寄り部分（連通部１８）で、上述した配線溝１４と連通している。この連通部１８を経由させることにより、第２凹部１３に嵌め込み固定された発光基板４（発光ダイオード２）への接続部１１の内部からの配線が可能になる。さらに、接続部１１の連通部１８から遠い側の端部は開放されている。
【００３０】
上記放熱体７は、軽量な金属製材料から構成され、図３に示す通り、軸Ｘを軸心とする円筒状に成形され且つ両端側がそれぞれ開放された筒状部１９と、該筒状部１９の外周面に螺旋状に一体形成された放熱フィン２１とを有し、全体としても円筒状に成形されている。
【００３１】
放熱フィン２１の表面には、酸化腐食の処理によって形成された無数の図示しない凹凸が設けられるとともに、軸Ｘの軸方向視で放熱体７の中心から離れる方向に放射状に塗布された塗料がコーティングされている。
【００３２】
筒状部１９の内周面におけるハウジング６側端から所定の範囲には、該ハウジング６の接続部１１の外周面に形成され且つ雄ネジ１１ａとネジ係合する雌ネジ１９ａが形成されている。
【００３３】
図５はカバー体の内面側の構成を示す平面図である。図１、図２及び図５に示す通り、上記カバー体８は、ハウジング６の本体９に外装されるように軸Ｘを軸心とする円筒状に成形された装着部２２と、該装着部２２における前記照射方向側の端部を閉塞するレンズ部２３とを一体的（図示する例では一体）で有し、透光性を有する透明又は半透明な合成樹脂等の材料によって一体的に成形（図示ずる例では一体成形）されている。
【００３４】
ハウジング６の本体９の外周面を装着部２２の内周面に嵌合して挿入することにより、該装着部２２が軸Ｘの軸方向にスライド可能な状態で該本体９の外周面に装着される。この装着時、レンズ部２３は、発光基板４（発光ダイオード２）の光照射側をカバーする状態になる。レンズ部２３を含むカバー体８は、ハウジング６に装着された状態で、軸Ｘの軸方向の移動するため、レンジ部２３と発光基板４との距離が変更され、導光状態（光の拡散度合い）を調整することが可能になる。
【００３５】
ちなみに、カバー体８のハウジング６への位置決めは、本体９の外周面の装着部２２の内周面への嵌合によって行っているが、これに限定されるものではなく、本体９の外周面と、装着部２２の内周面とをネジ係合させて軸Ｘの軸方向に進退させてもよい。
【００３６】
レンズ部２３は、カバー体８の上述した構成材料によって透光性を有する。このレンズ部２３は発光基板４からの光を拡散させる凸レンズである。レンズ部２３の発光基板４（発光ダイオード２）との対向面である内面２４は、溝等によってハチの巣状に区切られた多数の領域２４ａが形成されたハニカム構造を有している。
【００３７】
レンズ部２３の内面２４に設けられた多数の各領域２４ａには、発光ダイオード２から照射された光を拡散させるように、前記照射方向と反対の方向に突出する凸部２６が形成されている。各凸部２６は凸曲面状または半球面状に形成され、各々の凸部２６の突出量は全て同一又は略同一に設定されている。
【００３８】
一方、レンズ部２３の内面２４と反対側の面である外面２５は、凸曲面状又は半球面状に形成され、表面に細かい凹凸等は形成されておらず、異物等の引掛りを効率的に防止している。
【００３９】
ＬＥＤ照明装置１の設置板Ｐへの固定手段について説明する。図１及び図３に示す通り、まず、設置板Ｐを基準として前記照射方向の側の範囲（照射範囲）Ｅ１に、カバー体８が装着された状態のハウジング６を位置させ、その反対側の範囲（非照射範囲）Ｅ２に放熱体７を位置させる。
【００４０】
続いて、ハウジング６の接続部１１を、設置板Ｐの設置孔Ｐ１に挿通させて非照明範囲Ｅ２側に突出させ、この突出部分を、放熱体７の筒状部１９に挿入して前記雄ネジ１１ａと前記雌ネジ１９ａとをネジ係合させることにより、設置板Ｐに、照明装置１を締着固定させる。
【００４１】
このとき、設置板Ｐは、ハウジング６の本体９の前記照射方向と反対側の面である挟持面６ａと、放熱体７の筒状部１９の前記照射方向側の端面である挟持面７ａとの間に挟持された状態になる。
【００４２】
また、このとき、接続部１１の開放端を介して、該接続部１１の内部のスペースＳ１と、放熱体７の筒状部１９の内周面側のスペースＳ２とが連通し、発光基板４からの配線を、外部に露出させることなく、該スペースＳ２まで延設させることが可能になる。
【００４３】
さらに、放熱体７の筒状部１９の内周面側のスペースＳ２において、雌ネジ１９ａが形成されていない側の端部も開放され、この開放部分を介して、スペースＳ２から外側への配線も可能になる。ちなみに、この開口部分は、閉塞栓２７によって開閉可能に閉塞することが可能である他、さらに、充填部材２８によって、防水性を高めることも可能である。
【００４４】
閉塞栓２７は、筒状部１９に挿脱自在に嵌合挿入される円柱状に成形された挿入部２９と、該挿入部２９の前記照射方向と反対側の端部にフランジ状に成形され且つ円盤状をなす係止部３１とを有し、これらが合成樹脂等で一体成形されている。この閉塞栓２７は、その挿入部２９を、筒状部１９の前記開放部分から最大量挿入した場合、その係止部３１が筒状部１９の端面と当接して係止され、それ以上の挿入が禁止（規制）される。
【００４５】
ちなみに、閉塞栓２７によって筒状部１９の前記開放部分が閉塞されている状態でも、該開放部分側からの前記配線を可能とするため、該閉塞栓２７の軸心部には、全長に亘り配線孔２７ａが穿設されている。
【００４６】
充填部材２８は、筒状部１９の内周面に嵌合して挿入される円盤状に形成され、スペースＳ２の外部に対する防水性を高める。ちなみに、この充填部材２８も、筒状部１９の内周面に嵌合して充填されている状態で、配線を可能にするため、その中心部に厚み方向全体に亘り配線孔２８ａが穿設されている。
【００４７】
ところで、ハウジング６には発光基板４が嵌め込み固定されて収容され、該ハウジング６は放熱体７と一体的に接続されているため、設置板Ｐが金属製材料によって構成されている場合、ハウジング６及び放熱体７と、設置板Ｐとは、電気的に絶縁した方が好ましい。具体的には、ハウジング６の挟持面６ａと設置板Ｐとの間には絶縁体３２が介在されるとともに、放熱体７の挟持面７ａと設置板Ｐとの間にも絶縁体３３が介在される。
【００４８】
絶縁体３２は、その外周面が設置孔Ｐ１に嵌合して挿入され且つその内周面側には接続部１１が嵌合して挿通される筒状部３４と、筒状部３４の挟持面６ａ側の端部からフランジ状に径方向外側に延設された介在部３６とを有し、弾性変更可能な合成樹脂等の絶縁材料によって一体成形されている。筒状部３４における介在部３６が無い部分の長さは、設置板Ｐの板厚の同一又は略同一に設定されている。介在部３６の外周縁は軸Ｘの軸方向視で、本体９の外周よりも径が小さい円形状に成形されている。
【００４９】
絶縁体３３は、弾性変更可能な合成樹脂等の絶縁材料から構成され、軸Ｘ上に中心を有し且つ前記介在部３６と同一又は略同一径となる円形状に成形されている。この絶縁体３３の中心部には、接続部１１の外周面を嵌合して挿通可能な挿通孔３３ａが穿設されている。
【００５０】
この２つの絶縁体３２，３３を設ける場合におけるＬＥＤ照明装置１の設置板Ｐへの固定手順についても説明する。まず、照射範囲Ｅ１において、ハウジング６の本体９にカバー体８を装着するとともに、接続部１１に絶縁体３２の筒状部３４を外装する。
【００５１】
続いて、絶縁体３２の筒状部３４の外周面が設置孔Ｐに嵌合して挿通され且つ介在部３６が設置板Ｐ及び挟持面６ａに接触するようにして、ハウジング６の接続部１１を、設置板Ｐの設置孔Ｐ１に挿通させて非照明範囲Ｅ２側に突出させる。
【００５２】
続いて、非照射範囲Ｅ２において、接続部１１を絶縁体３３の挿通孔３３ａに挿通させ、その後、該絶縁体３３を、設置板Ｐと接触（密着）する位置まで該接続部１１上でスライド移動させる。
【００５３】
最後に、非照射範囲Ｅ２側で、接続部１１において絶縁体３３の挿通孔３３ａからさらに前記照射方向と反対の方向に突出した部分を、放熱体７の筒状部１９に挿入して前記雄ネジ１１ａと前記雌ネジ１９ａとをネジ係合させることにより、照明装置１を設置板Ｐに締着固定させる。
【００５４】
この２つの絶縁体３２，３３は、絶縁機能の他、弾性変更によって防振材としても機能している。
【００５５】
次に、図６，７に基づき、電力供給装置の構成を説明する。
【００５６】
図６は電力供給回路の電気回路図である。電力供給装置は、前記ＬＥＤ回路３と、交流電源からの交流電圧を直流電圧に整流して該ＬＥＤ回路３に供給する電力供給回路５１とを備えている。
【００５７】
電力供給回路５１は、ブリッジ方式の複数の全波整流回路５２と、対象となる一対の前記全波整流回路の入力端子５２ａ，５２ｂ同士を順次接続することにより、複数の全波整流回路５２を直列接続する一又は複数の接続回路５３と、交流電源に最も近い側に配置された一対の全波整流回路５２である入力側全波整流回路５２Ａ，５２Ｂの接続回路５３が接続されていない側の入力端子５２ａ，５２ｂと、交流電源ｅの一対の出力端子ｅ１，ｅ２とをそれぞれ接続する一対の入力回路５４Ａ，５４Ｂと、一方（図６に示す例では上側）の入力側全波整流回路５２Ａの一対の入力端子５２ａ，５２ｂ同士を並列接続された複数（図示する例では３つ）のコンデンサ５６を介して接続するコンデンサ接続回路５７と、コンデンサ接続回路５７が配置された側の入力回路５４Ａの途中に直列接続されたヒューズ５８と、コンデンサ接続回路５７が配置されていない側の入力回路５４Ｂの途中に直列接続された抵抗５９と、一対の入力回路５４Ａ，５４Ｂ同士を避雷器６１を介して接続する避雷器接続回路６２とを備えている。
【００５８】
上記全波整流回路５２は、図示する例では２つ設けられているため、その全てが入力側全般整流回路５２Ａ，５２Ｂになる。この全波整流回路５２の回路構成は従来公知であり、広く用いられているため、詳細は割愛するが、４つのダイオードＤ１，Ｄ２，Ｄ３，Ｄ４を有し、一対の入力端子５２ａ，５２ｂとプラス側の出力端子である第１出力端子５２ｃとの間に配置されたダイオードＤ１，Ｄ２の整流方向は、各入力端子５２ａ，５２ｂから第１出力端子２ｃに向かう方向に設定され、一対の入力端子５２ａ，５２ｂとマイナス側の出力端子である第２出力端子５２ｄとの間に配置されたダイオードＤ３，Ｄ４の整流方向は、第２出力端子５２ｄから各入力端子５２ａ，５２ｂに向かう方向に設定されている。
【００５９】
コンデンサ接続回路５７側の入力回路５４Ａにおける最も交流電源ｅに近い側にヒューズ５７が配置され、他の入力回路５４Ｂに抵抗５９が配置される。
【００６０】
避雷器接続回路６２の一方の接続端子６２ａが、ヒューズ５７が配置された側の入力回路５４Ａにおける該ヒューズ５７とコンデンサ接続回路５７との接続部分との間に、接続されるとともに、他方の接続端子６２ｂが、抵抗５９が配置された他の入力回路５４Ｂにおける該抵抗５９よりも交流電源ｅに近い側に配置されている。
【００６１】
また、複数の全波整流回路５２毎に少なくとも１つのＬＥＤ回路３が設けられ、図示する例では、複数の全波整流回路５２毎に、直列接続された複数（本例では、２つ）のＬＥＤ回路３が設けられている。
【００６２】
以上のように構成される電力供給回路によれば、プラスとマイナスが入れ替わる交流電源の一周期において、ヒューズ５７側がプラス電圧になっている場合、入力回路５４Ａから一方の入力側全波整流回路５２Ａに電流が流れる。この入力側全波整流回路５２Ａに入力された電流は、入力端子５４ａ→ダイオードＤ１→第１出力端子５２ｃの順番に流れ、続いて、第２出力端子５２ｄ→ダイオードＤ４→入力端子５２ｂの順に流れて接続回路５３に出力される。
【００６３】
接続回路５４に流れた電流は、隣接する他の全波整流回路５２である他方の入力側全波整流回路５２Ｂに入力される。この入力側全波整流回路５２Ｂに入力された電流も、同様に、入力端子５４ａ→ダイオードＤ１→第１出力端子５２ｃの順番に流れ、続いて、第２出力端子５２ｄ→ダイオードＤ４→入力端子５２ｂの順に流れて他方の入力回路５４Ｂに出力される。
【００６４】
これに対して、ヒューズ５７側がマイナス電圧になっている場合、入力回路５４Ｂから一方の入力側全波整流回路５２Ｂに電流が流れる。この入力側全波整流回路５２Ｂに入力された電流は、入力端子５４ｂ→ダイオードＤ２→第１出力端子５２ｃの順番に流れ、続いて、第２出力端子５２ｄ→ダイオードＤ３→入力端子５２ａの順に流れて接続回路５３に出力される。
【００６５】
接続回路５３に流れた電流は、隣接する他の全波整流回路５２である他方の入力側全波整流回路５２Ａに入力される。この入力側全波整流回路５２Ａに入力された電流も、同様に、入力端子５４ｂ→ダイオードＤ２→第１出力端子５２ｃの順番に流れ、続いて、第２出力端子５２ｄ→ダイオードＤ３→入力端子５２ａの順に流れて他方の入力回路５４Ａに出力される。
【００６６】
図７はＬＥＤ回路の電気回路図である。ＬＥＤ回路３は、発光基板４に実装される複数（本例では９つ）の発光ダイオード２が直列接続されて設けられている。入力端子３ａと直列接続された複数の発光ダイオード２との間には、複数の抵抗６３が配置されている。複数の抵抗６３は、直列接続された複数（図示する例は２つ）の抵抗６３，６３の列が複数（図示する例では２列）並列に接続されている。直列接続された複数の発光ダイオード２と出力端子３ｂとの間には、ツェナーダイオード６４及び複数の抵抗６６が、この順番に直列に並べられて配置されている。複数の抵抗６６も、上述のものと同様に、直列接続された複数（図示する例は２つ）の抵抗６６，６６の列が複数（図示する例では２列）並列に接続されている。
【００６７】
複数の全波整流回路５２毎に設けられた複数（図示する例では２つ）のＬＥＤ回路３は、一方のＬＥＤ回路３の出力端子３ｂと他方のＬＥＤ回路３の入力端子３ａとを、電力供給回路５１の一部を構成する接続回路６７によって、順次接続することにより直列接続され、他のＬＥＤ回路３の出力端子３ｂとは非接続であって且つ最も高電圧側の端側に配置されたＬＥＤ回路３の入力端子３ａが、該全波整流回路５２の第１出力端子５２ｃに接続するとともに、他のＬＥＤ回路３の入力端子３ａとは非接続であって且つ最も低電圧側の端側に配置されたＬＥＤ回路３の出力端子３ｂが、該全波整流回路５２の第２出力端子５２ｄに接続して配線を完了する。
【００６８】
このような構成の電力供給装置によれば、１つの電力供給回路５１毎に４つのＬＥＤ回路３に直流電圧の形態で電力を供給することが可能になる。ちなみに、電力供給回路５１は、１つの基板にまとめて実装されるが、この基板は放熱体７の筒状部１９の内部のスペースＳ２に収容させてもよい。
【００６９】
なお、全波整流回路５２は、３つ以上を直列接続させて設けてもよい。この場合、２つ以上の接続回路５３が必要になる。また、一の全波整流回路５２に対して、直列接続された２つのＬＥＤ回路３を設けたが、直列接続させるＬＥＤ回路３の数を３つ以上にしてもよい。さらに、並列接続された複数のコンデンサ５６を、容量を大きくして１つとしてもよい。
【００７０】
次に、図８に基づき、他の実施形態について上述の形態と異なる部分を説明する。
【００７１】
図８は、電力供給回路を収容する収容ボックスの構成を示す側面図である。本形態では、電力供給回路５１を実装した基板を収容する収容ボックス３７を、放熱体７とは別に設けている。収容ボックス３７は、直方体状に成形された本体３８と、本体３８から一体で突出形成された円筒状の接続部３９とを有している。
【００７２】
接続部３９は、突出端面に配線孔３９ａが穿設され、放熱体７の筒状部１９の内周面に嵌合して挿入可能な寸法で形成されている。そして、収容ボックス３７の内部から、配線孔３９ａを介して、放熱体７の筒状部１９の内部のスペースＳ２への配線が可能になる。
【符号の説明】
【００７３】
１  ＬＥＤ照明装置
２  発光ダイオード
６  ハウジング
７  放熱体
８  カバー体
１１  接続部
１３  第２凹部（凹部）
１９  筒状部
２１  放熱フィン
２２  装着部
２３  レンズ部
２４  内面（対向面）
２６  凸部
３２  絶縁体
３３  絶縁体
Ｐ  設置板
Ｐ１  設置孔
Ｓ１  スペース
【図１】
2020129521.tif 000003
【図２】
2020129521.tif 000004
【図３】
2020129521.tif 000005
【図４】
2020129521.tif 000006
【図５】
2020129521.tif 000007
【図６】
2020129521.tif 000008
【図７】
2020129521.tif 000009
【図８】
2020129521.tif 000010